(57)【要約】【課題】手間やコストをかけずに雨水をスムーズに排水することが可能なシート支持体及び上端金物、建物躯体の養生方法を提供することを目的とする。【解決手段】養生シートＳを下方から支持するシート支持体１０が、第一セット１０ａ及び第二セット１０ｂと、連結材１５とからなり、第一セット１０ａ及び第二セット１０ｂのそれぞれは、施工中断箇所Ｐに固定される脚金物１１と、支柱材１３と、支柱材１３の上端部に取り付けられる上端金物１２と、上端金物１２に取り付けられて養生シートＳを受けるシート受け材１４と、を備え、各々の上端金物１２には、連結材１５が架け渡されて設けられ、当該各々の上端金物１２は、養生シートＳの流れ方向に追従してシート受け材１４の角度調整可能に構成されている。また、第一セット１０ａ及び第二セット１０ｂは、連結材１５で連結されずに単独でもシート支持体として機能する。【選択図】図３
2020090780.tif 000002
【特許請求の範囲】
【請求項１】
施工中の建物躯体における施工中断箇所の上方に被せられた雨養生用の養生シートを下方から支持するシート支持体であって、
前記施工中断箇所における平面に固定される脚金物と、
前記脚金物に取り付けられる支柱材と、
前記支柱材の上端部に取り付けられる上端金物と、
前記上端金物に取り付けられるとともに前記養生シートを受けるシート受け材と、を備えており、
前記上端金物は、前記養生シートの流れ方向に追従して前記シート受け材の角度調整可能に構成されていることを特徴とするシート支持体。
【請求項２】
施工中の建物躯体における施工中断箇所の上方に被せられた雨養生用の養生シートを下方から支持するシート支持体であって、
互いに間隔を空けて配置されるとともに同様の構成を備えた第一セット及び第二セットと、これら第一セットと第二セットとを連結する連結材と、からなり、
前記第一セット及び前記第二セットのそれぞれは、
前記施工中断箇所における平面に固定される脚金物と、
前記脚金物に取り付けられる支柱材と、
前記支柱材の上端部に取り付けられる上端金物と、
前記上端金物に取り付けられるとともに前記養生シートを受けるシート受け材と、を備えており、
前記第一セット及び前記第二セットにおける各々の前記上端金物には前記シート受け材と前記連結材とが取り付けられ、
当該各々の上端金物は、前記養生シートの流れ方向に追従して前記シート受け材の角度調整可能に構成されていることを特徴とするシート支持体。
【請求項３】
施工中の建物躯体における施工中断箇所の上方に被せられた雨養生用の養生シートを下方から支持する支持部の上端部に設けられ、前記養生シートを受けるシート受け材が固定される上端金物であって、
前記施工中断箇所上に固定された前記支持部の上端部に取り付けられる取付部と、
前記シート受け材が固定される被固定部と、
前記取付部と前記被固定部との間に設けられ、前記取付部に対して前記被固定部及び前記シート受け材のアングルを調整するアングル調整部と、を有することを特徴とする上端金物。
【請求項４】
請求項３に記載の上端金物において、
前記被固定部は、
前記シート受け材が固定される第一固定領域と、
前記第一固定領域に隣り合い、前記シート受け材とは異なる部材が固定される第二固定領域と、を備えることを特徴とする上端金物。
【請求項５】
請求項１に記載のシート支持体によって前記養生シートを下方から支持することで雨養生を行う建物躯体の養生方法であって、
前記支柱材及び前記シート受け材として前記建物躯体の施工現場で調達した木材を用いて前記シート支持体を組み立てて、当該シート支持体を前記施工中断箇所に設置することを特徴とする建物躯体の養生方法。
【請求項６】
請求項２に記載のシート支持体によって前記養生シートを下方から支持することで雨養生を行う建物躯体の養生方法であって、
前記支柱材、前記シート受け材及び前記連結材として前記建物躯体の施工現場で調達した木材を用いて前記シート支持体を組み立てて、当該シート支持体を前記施工中断箇所に設置することを特徴とする建物躯体の養生方法。
【請求項７】
施工中の建物躯体における施工中断箇所の上方に養生シートを被せ、この養生シートを前記施工中断箇所に設置されたシート支持体によって下方から支持することで雨養生を行う建物躯体の養生方法において、
前記シート支持体は、
前記施工中断箇所における平面に固定される脚金物と、
前記脚金物に取り付けられる支柱材と、
前記支柱材の上端部に取り付けられる上端金物と、を備えるとともに、
前記上端金物として、
前記養生シートを受けるシート受け材が取り付けられ、前記養生シートの流れ方向に追従して前記シート受け材の角度調整可能に構成された第一上端金物と、
前記養生シートに頂点を形成するための第二上端金物と、が予め用意されており、
前記シート支持体を前記施工中断箇所に設置する際に、前記施工中断箇所の施工状況に応じ、前記上端金物として前記第一上端金物と前記第二上端金物のうち、いずれかを選択することを特徴とする建物躯体の養生方法。
【発明の詳細な説明】
【技術分野】
【０００１】
本発明は、建物躯体の雨養生のための養生シートを支持するシート支持体及び上端金物、建物躯体の養生方法に関する。
【背景技術】
【０００２】
戸建て住宅等の建物を施工するにはある程度の工期が必要とされ、その間に天候が崩れて降雨になる場合がある。そのため、従来、特に屋根の施工前の段階において、建物躯体の雨養生を行う場合があった。
このような雨養生を行う場合は、建物躯体の周囲に組まれた足場を利用して養生シートを張る場合（特許文献１参照。）や、建物躯体の上方から養生シートを被せる場合（特許文献２参照。）等がある。
【先行技術文献】
【特許文献】
【０００３】
【特許文献１】特開２０１３−０１１０９６号公報
【特許文献２】特開２０１１−１７４３１５号公報
【発明の概要】
【発明が解決しようとする課題】
【０００４】
ところが、特許文献１のように足場を利用して養生シートを張る場合は、足場が組まれていない状況では雨養生を行うことができないという問題や、足場から建物躯体までの距離を考慮して面積の広い養生シートを用意しなければならないという問題が生じる。
また、特許文献２のように建物躯体の上方から養生シートを被せる場合は、雨水を受けて養生シートが溜まりやすくなるため、養生シートの下で作業する人が棒などを使って養生シートを持ち上げて雨水を流したり、養生シートに排水手段を設けたりする必要があり、手間やコストがかかるという問題が生じる。
【０００５】
本発明は上記事情に鑑みてなされたものであり、手間やコストをかけずに雨水をスムーズに排水することが可能なシート支持体及び上端金物、建物躯体の養生方法を提供することを目的とする。
【課題を解決するための手段】
【０００６】
請求項１に記載の発明は、例えば図１〜図５に示すように、施工中の建物躯体１における施工中断箇所Ｐの上方に被せられた雨養生用の養生シートＳを下方から支持するシート支持体１０ａ（１０ｂ）であって、
前記施工中断箇所Ｐにおける平面に固定される脚金物１１と、
前記脚金物１１に取り付けられる支柱材１３と、
前記支柱材１３の上端部に取り付けられる上端金物１２と、
前記上端金物１２に取り付けられるとともに前記養生シートＳを受けるシート受け材１４と、を備えており、
前記上端金物１２は、前記養生シートＳの流れ方向に追従して前記シート受け材１４の角度調整可能に構成されていることを特徴とする。
【０００７】
請求項１に記載の発明によれば、脚金物１１が施工中断箇所Ｐにおける平面に固定されるので、シート支持体１０ａ（１０ｂ）を自立させることができる。これにより、足場を組んで養生シートＳを張る必要がなくなる。
また、上端金物１２が、養生シートＳの流れ方向に追従してシート受け材１４の角度調整可能に構成されているので、雨水を受けても撓みにくく、雨水を、高い方から低い方へとスムーズに、かつ定常的に流すことができる。
これによって、足場からの距離を考慮した面積の広い養生シートＳを用意したり、手作業で養生シートＳを持ち上げて雨水を流したり、養生シートＳに排水手段を設けたりする必要がなくなるので、手間やコストをかけずに、雨水をスムーズに排水することができる。
【０００８】
請求項２に記載の発明は、例えば図１〜図６に示すように、施工中の建物躯体１における施工中断箇所Ｐの上方に被せられた雨養生用の養生シートＳを下方から支持するシート支持体１０であって、
互いに間隔を空けて配置されるとともに同様の構成を備えた第一セット１０ａ及び第二セット１０ｂと、これら第一セット１０ａと第二セット１０ｂとを連結する連結材１５と、からなり、
前記第一セット１０ａ及び前記第二セット１０ｂのそれぞれは、
前記施工中断箇所Ｐにおける平面に固定される脚金物１１と、
前記脚金物１１に取り付けられる支柱材１３と、
前記支柱材１３の上端部に取り付けられる上端金物１２と、
前記上端金物１２に取り付けられるとともに前記養生シートＳを受けるシート受け材１４と、を備えており、
前記第一セット１０ａ及び前記第二セット１０ｂにおける各々の前記上端金物１２には、前記シート受け材１４が取り付けられるとともに前記連結材１５が架け渡されて設けられており、
当該各々の上端金物１２は、前記養生シートＳの流れ方向に追従して前記シート受け材１４の角度調整可能に構成されていることを特徴とする。
【０００９】
請求項２に記載の発明によれば、第一セット１０ａ及び第二セット１０ｂにおける各々の上端金物１２には、シート受け材１４が取り付けられるとともに連結材１５が架け渡されて設けられているので、第一セット１０ａと第二セット１０ｂとを連結させて一つのシート支持体１０として取り扱うことができる。
また、第一セット１０ａ及び第二セット１０ｂにおける各々の脚金物１１が施工中断箇所Ｐにおける平面に固定されるので、第一セット１０ａと第二セット１０ｂとを連結させたシート支持体１０を自立させることができる。これにより、足場を組んで養生シートＳを張る必要がなくなる。
さらに、第一セット１０ａ及び第二セット１０ｂにおける各々の上端金物１２が、養生シートＳの流れ方向に追従してシート受け材１４の角度調整可能に構成されているので、雨水を受けても撓みにくく、雨水を、高い方から低い方へとスムーズに、かつ定常的に流すことができる。
これによって、足場からの距離を考慮した面積の広い養生シートＳを用意したり、手作業で養生シートＳを持ち上げて雨水を流したり、養生シートＳに排水手段を設けたりする必要がなくなるので、手間やコストをかけずに、雨水をスムーズに排水することができる。また、第一セット１０ａと第二セット１０ｂとを連結させたシート支持体１０によれば広い範囲で養生シートＳを支持することができる。
【００１０】
請求項３に記載の発明は、例えば図１〜図３，図５〜図７に示すように、施工中の建物躯体１における施工中断箇所Ｐの上方に被せられた雨養生用の養生シートＳを下方から支持する支持部（例えば脚金物１１及び支柱材１３）の上端部に設けられ、前記養生シートＳを受けるシート受け材１４が固定される上端金物１２であって、
前記施工中断箇所Ｐ上に固定された前記支持部の上端部に取り付けられる取付部（例えば筒状部１２０）と、
前記シート受け材１４が固定される被固定部（例えば木材固定部１２１）と、
前記取付部と前記被固定部との間に設けられ、前記取付部に対して前記被固定部及び前記シート受け材１４のアングルを調整するアングル調整部１２４と、を有することを特徴とする。
【００１１】
請求項３に記載の発明によれば、取付部（例えば筒状部１２０）に対して被固定部（例えば木材固定部１２１）及びシート受け材１４のアングルを調整するアングル調整部１２４を有するので、養生シートＳの流れ方向に追従して被固定部及びシート受け材１４のアングル（角度）を調整することができる。これにより、支持部（例えば脚金物１１及び支柱材１３）によって養生シートＳを下方から支持する場合に、養生シートＳを、雨水を受けても撓みにくくすることができ、雨水を、高い方から低い方へとスムーズに、かつ定常的に流すことに貢献できる。
【００１２】
請求項４に記載の発明は、例えば図５〜図７に示すように、請求項３に記載の上端金物において、
前記被固定部（例えば木材固定部１２１）は、
前記シート受け材１４が固定される第一固定領域１２１ａと、
前記第一固定領域１２１ａに隣り合い、前記シート受け材１４とは異なる部材（例えば連結材１５又は当て木１４ａ）が固定される第二固定領域１２１ｂと、を備えることを特徴とする。
【００１３】
請求項４に記載の発明によれば、被固定部（例えば木材固定部１２１）を、シート受け材１４を固定するためだけに用いるのではなく、シート受け材１４とは異なる部材（例えば連結材１５又は当て木１４ａ）を固定するために用いることができる。これにより、例えば一対のシート支持体１０ａ，１０ｂ同士を連結する連結材１５を固定したり、ビスＢがシート受け材１４を貫通してしまう場合の当て木１４ａを固定したりすることができ、その結果、手間やコストの軽減、雨水のスムーズな排水に貢献できる。
【００１４】
請求項５に記載の発明は、例えば図１〜図５に示すように、請求項１に記載のシート支持体１０ａ（１０ｂ）によって前記養生シートＳを下方から支持することで雨養生を行う建物躯体１の養生方法であって、
前記支柱材１３及び前記シート受け材１４として前記建物躯体１の施工現場で調達した木材を用いて前記シート支持体１０ａ（１０ｂ）を組み立てて、当該シート支持体１０ａ（１０ｂ）を前記施工中断箇所Ｐに設置することを特徴とする。
【００１５】
請求項５に記載の発明によれば、支柱材１３及びシート受け材１４として建物躯体１の施工現場で調達した木材を用いてシート支持体１０ａ（１０ｂ）を組み立てて、当該シート支持体１０ａ（１０ｂ）を施工中断箇所Ｐに設置するので、支柱材１３及びシート受け材１４を専用のものとして用意する必要がなく、施工現場の建築材料などの木材を使用でき、使用後には、再び建築材料などの木材として取り扱うことができる。そのため、無駄がなく、コストの低減を図ることができる。
【００１６】
請求項６に記載の発明は、例えば図１〜図６に示すように、請求項２に記載のシート支持体１０によって前記養生シートＳを下方から支持することで雨養生を行う建物躯体１の養生方法であって、
前記支柱材１３、前記シート受け材１４及び前記連結材１５として前記建物躯体１の施工現場で調達した木材を用いて前記シート支持体１０を組み立てて、当該シート支持体１０を前記施工中断箇所Ｐに設置することを特徴とする。
【００１７】
請求項６に記載の発明によれば、支柱材１３、シート受け材１４及び連結材１５として建物躯体１の施工現場で調達した木材を用いてシート支持体１０を組み立てて、当該シート支持体１０を施工中断箇所Ｐに設置するので、支柱材１３、シート受け材１４及び連結材１５を専用のものとして用意する必要がなく、施工現場の建築材料などの木材を使用でき、使用後には、再び建築材料などの木材として取り扱うことができる。そのため、無駄がなく、コストの低減を図ることができる。
【００１８】
請求項７に記載の発明は、例えば図１〜図６，図９，図１０に示すように、施工中の建物躯体１における施工中断箇所Ｐの上方に養生シートＳを被せ、この養生シートＳを前記施工中断箇所Ｐに設置されたシート支持体１０ａ（１０ｂ）によって下方から支持することで雨養生を行う建物躯体１の養生方法において、
前記シート支持体１０ａ（１０ｂ）は、
前記施工中断箇所Ｐにおける平面に固定される脚金物１１と、
前記脚金物１１に取り付けられる支柱材１３と、
前記支柱材１３の上端部に取り付けられる上端金物と、を備えるとともに、
前記上端金物として、
前記養生シートＳを受けるシート受け材１４が取り付けられ、前記養生シートＳの流れ方向に追従して前記シート受け材１４の角度調整可能に構成された第一上端金物１２と、
前記養生シートＳに頂点Ｔを形成するための第二上端金物２０と、が予め用意されており、
前記シート支持体１０ａ（１０ｂ）を前記施工中断箇所Ｐに設置する際に、前記施工中断箇所Ｐの施工状況に応じ、前記上端金物として前記第一上端金物１２と前記第二上端金物２０のうち、いずれかを選択することを特徴とする。
【００１９】
請求項７に記載の発明によれば、養生シートＳを施工中の建物躯体１における施工中断箇所Ｐの上方に被せた際に、養生シートＳに流れ方向が形成される施工状況であれば第一上端金物１２を選択でき、養生シートＳに頂点Ｔを形成する必要がある施工状況であれば第二上端金物２０を選択することができるので、施工中断箇所Ｐの施工状況に応じた最適な雨養生を行うことができる。すなわち、施工中断箇所Ｐの施工状況に応じて上端金物１２，２０を付け替えるだけで最適な雨養生を行うことができるので、結果的に、手間やコストをかけずに、雨水をスムーズに排水できることとなる。
【発明の効果】
【００２０】
本発明によれば、手間やコストをかけずに雨水をスムーズに排水することが可能となる。
【図面の簡単な説明】
【００２１】
【図１】施工中の建物躯体を養生シートによって養生する形態を示す断面図である。
【図２】施工中の建物躯体を養生シートによって養生する形態を示す平面図である。
【図３】シート支持体を示す図である。
【図４】脚金物の正面、左側面、平面を示す図である。
【図５】第一上端金物の正面、左側面、平面を示す図である。
【図６】第一上端金物に対する木材の取付例を説明する図である。
【図７】第一上端金物の使用例を説明する図である。
【図８】保護キャップの正面、底面を示す図である。
【図９】施工中の建物躯体を養生シートによって養生する形態を示す斜視図である。
【図１０】第二上端金物の正面、左側面、平面を示す図である。
【図１１】施工中の基礎を養生シートによって養生する例を示す斜視図である。
【図１２】施工中の基礎を養生シートによって養生する例を示す断面図である。
【発明を実施するための形態】
【００２２】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２３】
＜第１実施形態＞
図１及び図２において符号１は、枠組壁工法やプレハブ工法によって建築される住宅等の建物における躯体（以下、建物躯体１）を示す。枠組壁工法やプレハブ工法においては、基本的には、まず基礎が構築され、続いて一階床が敷設されてから一階外壁が立設され、続いて二階床が敷設されてから二階外壁が立設されて、最後に屋根が設置される手順で施工が行われる。そのため、屋根が設置されるまでは、少なくとも降雨時に雨養生が必要となる。
なお、例えば二階外壁の施工中に屋根の施工が始められる場合などもあり、上記の基本的な施工手順は、現場の状況などに応じて適宜変更可能である。
また、本実施形態における建物躯体１は、プレハブ工法のうち木質パネル接着工法によって建築されるが、これに限られるものではなく、その他のプレハブ工法や木造軸組工法等の他の工法によって建築されてもよい。
【００２４】
図１，図２に示す建物躯体１のうち符号Ｐで示す箇所は、施工が中断された箇所（以下、施工中断箇所Ｐ）とされており、雨養生が必要となっている。
より具体的に説明すると、建物躯体１は二階建ての戸建て住宅とされており、屋根の棟が形成されているものの、二階の一部において外壁の施工が中断されている（図２において一点鎖線で示す。）。その上方には屋根が設けられておらず、屋外に開放された状態となっている。すなわち、例えばバルコニーの施工途中であり、バルコニー床や手摺壁等が設置されていない。さらには、屋根材が葺設されていない状況である場合もある。
そのため、建物躯体１には、上方から養生シートＳが被せられる。養生シートＳは、少なくとも施工中断箇所Ｐが完全に覆われるように被せられ、本実施形態においては、建物躯体１の上端部全体が養生シートＳによって覆われている。
また、養生シートＳは、施工中断箇所Ｐの上方だけでなく、側方も覆った状態となるように建物躯体１に被せられており、側方からの雨も防ぐことができるようになっている。
【００２５】
本実施形態においては、以上のような建物躯体１の施工状況となっているため、建物躯体１に被せられた養生シートＳには、上方から下方に向かう流れの方向（以下、流れ方向）が形成されることになる。
なお、図１〜図３（図６）に記載された方向は、施工中断箇所Ｐを基点とした場合の方向であって、「棟」は、施工中断箇所Ｐから見て建物躯体１の棟がある方向を指し、「軒」は、施工中断箇所Ｐから見て建物躯体１の軒先側となる方向を指し、「左」及び「右」は、軒先側から建物躯体１を見た場合の左右の方向を指している。
【００２６】
養生シートＳとしては、例えばポリエチレンなどの耐水性を有する材料によって製造されたものが用いられている。
なお、養生シートＳの固定方法は、ステープルによって建物躯体１に固定したり、板材をシート押さえとし、当該板材ごと建物躯体１に釘打ちしたりする方法が採られている。その他にも養生シートＳの周縁部に沿って設けられた複数のハトメを利用して固定してもよい（例えば紐で結びつける、固定材を通すなど）。
【００２７】
養生シートＳのうち施工中断箇所Ｐに被せられる部位（以下、被覆部位Ｓ１）は、降雨時に雨水が溜まって撓んでしまう場合があるが、そのような撓みの発生を抑えるため、被覆部位Ｓ１の下方には、シート支持体１０が設けられている。
【００２８】
シート支持体１０は、図３に示すように、複数の脚金物１１と、複数の第一上端金物１２と、これらの金物１１，１２に取り付けられる木材１３〜１５と、を備えている。木材１３は支柱用の木材（すなわち、支柱材）であり、木材１４はシート受け用の木材（すなわち、シート受け材）であり、木材１５は連結用の木材（すなわち、連結材）である。
より詳細に説明すると、シート支持体１０は、一方側（図３中では左側）に位置する第一セット１０ａと、他方側（図３中では右側）に位置する第二セット１０ｂと、が木材１５によって連結された複合体（連結体）として構成されている。また、第一セット１０ａと第二セット１０ｂは、同様の要素によって構成されて対称となるように配置されている。
そして、第一セット１０ａ及び第二セット１０ｂを構成する要素として、脚金物１１、第一上端金物１２、木材１３，１４がそれぞれ用いられている。
【００２９】
なお、第一セット１０ａと第二セット１０ｂは、連結用の木材１５によって連結せずに単独で使用することも可能となっている。すなわち、第一セット１０ａ及び第二セット１０ｂは、それぞれ単独でシート支持体として機能することになる。ただし、本実施形態においては、複合体のシート支持体１０と区別するために、第一セット１０ａ、第二セット１０ｂと呼称するものとする。
【００３０】
脚金物１１は、図４に示すように、シート支持体１０（第一セット１０ａ、第二セット１０ｂ）の下端部に設けられるとともに建物躯体１に固定される金物であり、ベース部１１０と、筒状部１１１と、を有する。
【００３１】
ベース部１１０は、建物躯体１における施工中断箇所Ｐの平面（上向き平面：本実施形態では水平面）に固定される板状の部位であり、縦・横共に９０ｍｍ程度に設定され、厚みは数ｍｍ程度（例えば５ｍｍ前後）に設定されている。四隅には、ビスＢが通されるビス孔１１０ａが形成されている。
【００３２】
筒状部１１１は、ベース部１１０の上面中央に溶接等により接合固定された四角筒状の部位であり、筒内に、支柱用の木材１３の下端部が差し込まれる。また、四側面のそれぞれにはビス孔１１１ａが形成されている。
筒状部１１１における筒の内寸は、当該筒状部１１１に差し込まれる木材１３を想定した寸法となっており、本実施形態においては、３２．４ｍｍ×４３．１ｍｍに設定されている。
なお、脚金物１１と、この脚金物１１の筒状部１１１に差し込まれた木材１３と、によって、シート支持体１０（第一セット１０ａ、第二セット１０ｂ）の、施工中断箇所Ｐ上に固定される支持部を構成している。
【００３３】
第一上端金物１２は、図５に示すように、シート支持体１０（第一セット１０ａ、第二セット１０ｂ）の上端部に設けられて養生シートＳを受ける木材１４が固定される金物であり、筒状部１２０と、木材固定部１２１と、アングル調整部１２４と、を有する。
【００３４】
筒状部１２０は、四角筒状の部位であり、筒内に木材１３の上端部が差し込まれる。また、四側面のそれぞれにはビス孔１２０ａが形成されている。
筒状部１２０における筒の内寸は、当該筒状部１２０に差し込まれる木材１３を想定した寸法となっており、本実施形態においては、３２．４ｍｍ×４３．１ｍｍに設定されている。
なお、この筒状部１２０は、脚金物１１及び木材１３によって構成されるシート支持体１０の支持部における上端部に取り付けられる取付部として機能する。
【００３５】
木材固定部１２１は、側面（断面）視において略Ｌ型に形成され、シート受け材１４である木材１４が固定される被固定部として機能する部位であり、底面板部１２２と、立ち上がり板部１２３と、を備える。
底面板部１２２は、縦・横共に９０ｍｍ程度に設定され、厚みは数ｍｍ程度（例えば５ｍｍ前後）に設定されている。
立ち上がり板部１２３は、幅寸法が、底面板部１２２の一辺と等しい寸法（９０ｍｍ）に設定され、立ち上がり寸法が、底面板部１２２の厚み寸法を含めて４２ｍｍ程度に設定されている。
また、底面板部１２２には複数のビス孔１２２ａが形成され、立ち上がり板部１２３にも複数のビス孔１２３ａが形成されている。
【００３６】
このような木材固定部１２１は、木材１４が固定される第一固定領域１２１ａと、当該第一固定領域１２１ａに隣り合い、木材１４とは異なる部材（例えば木材１５又は後述する当て木１４ａ）が固定される第二固定領域１２１ｂと、を備えている。
これら第一固定領域１２１ａ及び第二固定領域１２１ｂは、例えば底面板部１２２に線が引かれるなどして明確に境界が分かれているわけではないが、複数のビス孔１２２ａが、底面板部１２２における立ち上がり板部１２３側と、その反対側とに分かれて配置形成されている。そして、底面板部１２２における立ち上がり板部１２３側に形成された複数のビス孔１２２ａに対しては、シート受け材である木材１４を固定するビスＢを通すことができるようになっている。すなわち、底面板部１２２において、立ち上がり板部１２３側に形成された複数のビス孔１２２ａのある側が第一固定領域１２１ａとされている。また、第一固定領域１２１ａに木材１４が固定された状態において、底面板部１２２のうち、木材１４が固定されていない部分が、複数のビス孔１２２ａがある、木材１４とは異なる部材を固定することが可能な第二固定領域１２１ｂとして機能することになる。
【００３７】
アングル調整部１２４は、木材固定部１２１（底面板部１２２）の下面における中央の立ち上がり板部１２３寄りに溶接等により接合固定されるとともに、ボルト１２４ａ及びナット１２４ｂによって筒状部１２０の上端部に連結された部位である。
このアングル調整部１２４は、筒状部１２０（すなわち、取付部）に対し、ボルト１２４ａを軸にして回転自在となっており、これにより、木材固定部１２１（すなわち、被固定部）及び木材１４のアングル（角度）を調整できるようになっている。
なお、アングル調整部１２４は、ボルト１２４ａに対するナット１２４ｂの締め付け度合に応じて、回転の固さ（緩さ）を調節できるようになっている。ただし、ボルト１２４ａは半ネジ（ボルト１２４ａの軸部全体にネジが形成されていない状態を指し、ここでは軸部の先端にのみネジが形成されたボルトが使用されている。）とされているため、アングル調整部１２４の回転を不能にすることはできないようになっている。
【００３８】
木材１３，１４は、いずれも施工現場で調達することが可能な建築材料（若しくは、建築材料から切り出された端材）としての木材（材木ともいう）であり、いわゆる「角材」が用いられている。
また、木材１３は、上述のように、第一セット１０ａ及び第二セット１０ｂにおける支柱用の木材１３であり、脚金物１１と共に、シート支持体１０（第一セット１０ａ、第二セット１０ｂ）の、施工中断箇所Ｐ上に固定される支持部を構成している。
木材１４は、上述のように、第一セット１０ａ及び第二セット１０ｂにおいて養生シートＳを受けるシート受け用の木材１４である。
本実施形態における木材１３，１４は、建物躯体１における各部屋の天井を形成するための野縁として用いられる建築材料であり、いずれも、厚み３０ｍｍ、幅４０ｍｍに形成されている。
【００３９】
なお、厚み及び幅の寸法については、特に限定されるものではないが、少なくとも養生シートＳを支持することができ、かつ、脚金物１１における筒状部１１１及び第一上端金物１２における筒状部１２０に差し込むことが可能な寸法に設定されているものとする。万が一、現場に厚み及び幅の寸法が短い（細い）角材しかない場合は、複数本を重ね合わせて接着して利用してもよい。一方、現場に厚み及び幅の寸法が長い（太い）角材しかない場合は、例えば、両端部の厚み及び幅の寸法を短くする、筒状部１１１，１２０を差し込むことが可能な角孔を形成する等の加工を適宜行ってから利用してもよい。
【００４０】
また、長さについて、木材１３の場合は、養生シートＳを所定の高さまで支持し得る長さに設定されており、木材１４の場合は、養生シートＳを撓みなく受けるために必要な長さに設定されている。
すなわち、木材１３，１４の長さについては、施工現場の状況次第で適宜変更されるものであり、現場で最適な長さに切断加工される。
【００４１】
木材１５は、施工現場で調達することが可能な建築材料（若しくは、建築材料から切り出された端材）としての木材（材木ともいう）であり、いわゆる「板材」が用いられている。この木材１５は、第一セット１０ａにおける第一上端金物１２と、第二セット１０ｂにおける第一上端金物１２との間に架け渡されて固定されることにより、第一セット１０ａと第二セット１０ｂとを連結している。
なお、本実施形態における木材１５は、第一セット１０ａと第二セット１０ｂとを連結するための連結用の木材であるため、必ずしも「板材」に限られるものではなく、第一上端金物１２に確実に固定し得る寸法に設定されていれば「角材」を一本又は二本以上利用してもよい。
また、木材１５の長さ（すなわち、第一セット１０ａと第二セット１０ｂとの間隔）についても、木材１３，１４と同様に、施工現場の状況次第で適宜変更されるものであり、現場で最適な長さに切断加工される。
【００４２】
シート受け用の木材１４は、養生シートＳに接するため、両端部の角が立っている状態では好ましくない。そこで、図１，図２に示すように、シート受け用の木材１４の長さ方向両端部には、保護キャップ１６がそれぞれ装着されている。
保護キャップ１６は、例えば樹脂によって成型された樹脂成型品であり、図８に示すように、筒状の装着部１６０と、半球形状の保護部１６５と、を有する。
【００４３】
装着部１６０は、端面１６１及び外周面１６２が円状に形成され、筒部１６３が四角筒状に形成されており、筒部１６３に木材１４を差し込むことができるようになっている。また、筒部１６３における四つの隅部１６３ａは、木材１４の差し込みをスムーズにするために略円筒状に加工されている。
さらに、装着部１６０の外周面１６２には、ビスＢを通すための貫通孔１６４が対向して形成されている。なお、貫通孔１６４のうち筒部１６３側が、ビスＢの軸部が通される孔とされ、外周面１６２側が、ビスＢの軸部が通される孔よりも直径が長い座堀部１６４ａとされており、この座堀部１６４ａにはビスＢの頭部が接するようになっている。
なお、対向する貫通孔１６４それぞれに通されたビスＢ同士が接触し合わないように、いずれか一方の貫通孔１６４を筒部１６３の奥側にずらして配置してもよい。
【００４４】
保護部１６５は、装着部１６０と一体形成されており、筒部１６３における一方の開口を塞いでいる。すなわち、筒部１６３の奥壁は保護部１６１によって構成されており、筒部１６３に差し込まれた木材１４の端面が接するようになっている。
【００４５】
第一セット１０ａ及び第二セット１０ｂは、以下のようにして組み立てられている。
まず、脚金物１１における筒状部１１１の筒内に、支柱用の木材１３における下端部を差し込み、筒状部１１１に形成されたビス孔１１１ａからビスＢを設けて固定する。
続いて、支柱用の木材１３における上端部に、第一上端金物１２を装着する。つまり、第一上端金物１２における筒状部１２０の筒内に、木材１３の上端部を差し込む。そして、筒状部１２０に形成されたビス孔１２０ａからビスＢを設けて固定する。
【００４６】
続いて、第一上端金物１２における木材固定部１２１に、木材１４を固定する。木材１４を固定する場合、木材１４は底面板部１２２に載せられるとともに立ち上がり板部１２３に接するように配置され、その上で、底面板部１２２に形成されたビス孔１２２ａ及び立ち上がり板部１２３に形成されたビス孔１２３ａからビスＢを設けて固定する。
なお、第一セット１０ａ（又は第二セット１０ｂ）を単独で使用する際において、図７（ａ）に示すように、木材１４の厚み寸法又は幅寸法よりも長い寸法に設定されたビスＢが使用される場合には、図７（ｂ）に示すように、当て木１４ａが用いられる。すなわち、木材１４に対して当て木１４ａを添わせるように配置し、これら木材１４及び当て木１４を、寸法の長いビスＢによって一緒に固定する。これにより、ビスＢの先端を隠すことができるので安全性に優れる。
【００４７】
第一セット１０ａ及び第二セット１０ｂは、以上のようにして組み立てられるが、支柱用の木材１３については、必ずしも、筒状部１１１，１２０に対してビスＢ固定しなくてもよい。
【００４８】
第一セット１０ａ及び第二セット１０ｂを単独で使用する場合は、組み立てられた第一セット１０ａ及び第二セット１０ｂにおけるベース部１１０を、ビスＢによって、建物躯体１における施工中断箇所Ｐの平面（上向き平面）に固定する。
【００４９】
第一セット１０ａ及び第二セット１０ｂをシート支持体１０として使用する場合は、立ち上がり板部１２３が外側に位置する状態で、第一セット１０ａにおける底面板部１２２と第二セット１０ｂにおける底面板部１２２との間に、連結用の木材１５を架け渡し、ビスＢによって木材１５を各底面板部１２２，１２２に固定し、第一セット１０ａと第二セット１０ｂとを連結する。
そして、組み立てられたシート支持体１０における各ベース部１１０，１１０を、ビスＢによって、建物躯体１における施工中断箇所Ｐの平面（上向き平面）に固定する。
【００５０】
その後、養生シートＳを建物躯体１に被せて施工中断箇所Ｐを覆い、養生シートＳを建物躯体１に固定する。若しくは、養生シートＳを建物躯体１に被せておき、その後、シート支持体１０（又は第一セット１０ａ、第二セット１０ｂ）の組立作業又は設置作業を行うようにしてもよい。
養生シートＳを受ける木材１４（木材固定部１２１）は、第一上端金物１２におけるアングル調整部１２４が動作することによって養生シートＳの流れ方向に追従するようになっている。
【００５１】
なお、組み立てられたシート支持体１０（又は第一セット１０ａ、第二セット１０ｂ）によって養生シートＳの撓みが解消されない場合は、支柱用の木材１３を、より長さの長い支柱用の木材１３に変更して撓みを解消する。若しくは、支柱用の木材１３を変更せずに、木材１３に対する脚金物１１と第一上端金物１２の位置を変更し、ビスＢによって固定することで、脚金物１１から第一上端金物１２までの長さを長くしてもよい。
【００５２】
なお、シート支持体１０（第一セット１０ａ、第二セット１０ｂ）を構成する各木材１３〜１５については、使用後に、再び建築材料として取り扱うことが可能であり、一方、脚金物１１及び第一上端金物１２については、複数の施工現場で使い回すことが可能であり、無駄がない。
【００５３】
以上のように組み立てられて設置されたシート支持体１０（第一セット１０ａ、第二セット１０ｂ）を用いることにより、図１及び図２に示すように、養生シートＳの撓みをなくすことが可能となり、雨水が溜まらないように、養生シートＳの流れに沿って確実に流すことができる（図２中の矢印参照）。
【００５４】
本実施の形態によれば、互いに間隔を空けて配置されるとともに同様の構成を備えた第一セット１０ａ及び第二セット１０ｂにおける各々の第一上端金物１２に、シート受け材である木材１４が取り付けられるとともに連結材である木材１５が架け渡されて設けられているので、第一セット１０ａと第二セット１０ｂとを連結させて一つのシート支持体１０（複合体）として取り扱うことができる。
また、第一セット１０ａ及び第二セット１０ｂにおける各々の脚金物１１が施工中断箇所Ｐにおける平面に固定されるので、第一セット１０ａと第二セット１０ｂとを連結させたシート支持体１０を自立させることができる。これにより、足場を組んで養生シートＳを張る必要がなくなる。
さらに、第一セット１０ａ及び第二セット１０ｂにおける各々の第一上端金物１２が、養生シートＳの流れ方向に追従してシート受け用の木材１４の角度調整可能に構成されているので、雨水を受けても撓みにくく、雨水を、高い方から低い方へとスムーズに、かつ定常的に流すことができる。
これによって、足場からの距離を考慮した面積の広い養生シートＳを用意したり、手作業で養生シートＳを持ち上げて雨水を流したり、養生シートＳに排水手段を設けたりする必要がなくなるので、手間やコストをかけずに、雨水をスムーズに排水することができる。また、第一セット１０ａと第二セット１０ｂとを連結させたシート支持体１０によれば広い範囲で養生シートＳを支持することができる。
【００５５】
また、複合体のシート支持体１０を構成する第一セット１０ａ及び第二セット１０ｂは、それぞれ単独でシート支持体として使用することができる。
このようなシート支持体１０ａ，１０ｂにおいても、脚金物１１が施工中断箇所Ｐにおける平面に固定されるので、シート支持体１０ａ，１０ｂを自立させることができる。これにより、足場を組んで養生シートＳを張る必要がなくなる。
また、第一上端金物１２が、養生シートＳの流れ方向に追従してシート受け用の木材１４の角度調整可能に構成されているので、雨水を受けても撓みにくく、雨水を、高い方から低い方へとスムーズに、かつ定常的に流すことができる。
これによって、足場からの距離を考慮した面積の広い養生シートＳを用意したり、手作業で養生シートＳを持ち上げて雨水を流したり、養生シートＳに排水手段を設けたりする必要がなくなるので、手間やコストをかけずに、雨水をスムーズに排水することができる。
【００５６】
また、第一上端金物１２は、当該第一上端金物１２における取付部を構成する筒状部１２０に対して、被固定部を構成する木材固定部１２１及びシート受け材１４のアングルを調整するアングル調整部１２４を有するので、養生シートＳの流れ方向に追従して被固定部及びシート受け材１４のアングル（角度）を調整することができる。これにより、シート支持体１０（第一セット１０ａ、第二セット１０ｂ）によって養生シートＳを下方から支持する場合に、養生シートＳを、雨水を受けても撓みにくくすることができ、雨水を、高い方から低い方へとスムーズに、かつ定常的に流すことに貢献できる。
【００５７】
また、被固定部を構成する木材固定部１２１を、シート受け材１４を固定するためだけに用いるのではなく、シート受け材１４とは異なる部材（例えば連結材１５又は当て木１４ａ）を固定するために用いることができる。これにより、例えば第一セット１０ａと第二セット１０ｂとを連結する連結材１５を固定したり、ビスＢがシート受け材１４を貫通してしまう場合の当て木１４ａを固定したりすることができ、その結果、手間やコストの軽減、雨水のスムーズな排水に貢献できる。
【００５８】
また、支柱用の木材１３、シート受け用の木材１４及び連結用の木材１５として建物躯体１の施工現場で調達した木材を用いてシート支持体１０を組み立てて、当該シート支持体１０を施工中断箇所Ｐに設置するので、支柱用の木材１３、シート受け用の木材１４及び連結用の木材１５を専用のものとして用意する必要がなく、施工現場の建築材料などの木材を使用でき、使用後には、再び建築材料などの木材として取り扱うことができる。そのため、無駄がなく、コストの低減を図ることができる。
なお、第一セット１０ａ及び第二セット１０ｂを、それぞれ単独でシート支持体として使用する場合は、支柱用の木材１３及びシート受け用の木材１４として建物躯体１の施工現場で調達した木材を用いることができる。この場合も同様の効果を奏する。
【００５９】
なお、ベース部１１０が固定される平面は、主として、床の上面や壁の上端面のような上向きの平面を指しており、本実施形態においては施工中断箇所Ｐにおける水平面に固定される。
ただし、これに限られるものではなく、横向きの平面にベース部１１０を固定することも可能となっている。この場合、支柱用の木材１３は横方向に延び、シート受け用の木材１４は、第一上端金物１２におけるアングル調整部１２４によって適宜角度調整される。これにより、ベース部１１０を上向き平面に固定できない場合にも、養生シートＳを支持することができる。
また、本実施形態における木材１３，１４，１５は、現場で調達することが可能な建築材料（若しくは、建築材料から切り出された端材）としての木材であるとしたが、これに限られるものではなく、専用の木材を用いてもよいし、木材以外の素材からなる建築材料でもよい。ただし、いずれを用いるにしても、現場で切断するなどして寸法調整や形状調整が可能な材料とされているものとする。
【００６０】
＜第２実施形態＞
次に、図面を参照して本発明の第２実施形態について説明する。なお、説明の便宜上、上述した第１実施形態とは異なる構成部分のみについて説明する。
【００６１】
本実施形態においては、上述の第１実施形態における第一上端金物１２に替えて、第二上端金物２０が用いられている。
第二上端金物２０は、図９，図１０に示すように、支柱用の木材１３の上端部に設けられて養生シートＳを受けるための金物であり、筒状部２００と、円盤部２０１と、を有する。
【００６２】
筒状部２００は、円盤部２０１の底面中央に溶接等により接合固定された四角筒状の部位であり、筒内に木材１３の上端部が差し込まれる。また、四側面のそれぞれにはビス孔２００ａが形成されている。
筒状部２００における筒の内寸は、当該筒状部２００に差し込まれる木材１３を想定した寸法となっており、本実施形態においては、３２．４ｍｍ×４３．１ｍｍに設定されている。
【００６３】
円盤部２０１は、支柱用の木材１３に装着された場合に最も上端部に位置する部位であり、筒状部２００の上端部が一体的に接合された底面部２０１ａと、養生シートＳを受ける面となる球面部２０１ｂと、からなる。
【００６４】
以上のように構成された第二上端金物２０は、角の無い円盤部２０１を有しており、全方位的に養生シートＳの流れ方向を形成する（全方位的に雨水を流す）ことが可能となるため、養生シートＳに頂点Ｔを形成できるようになっている。つまり、第二上端金物２０を用いて養生シートＳに頂点Ｔを形成すれば、どの方向にも角が立たないので、養生シートＳを保護できるとともに、全方位的に雨水を流すことができる。
なお、第二上端金物２０を用いて養生シートＳに頂点Ｔを形成する場合は、支柱用の木材１３は、比較的長さの長いものが用いられる。より具体的に説明すると、支柱用の木材１３は、建物躯体１における各階の壁の高さ寸法（若しくは、フラットルーフにおけるパラペットの高さ寸法）よりも長い寸法のものが用いられる。
また、上端部に第二上端金物２０が設けられた支柱用の木材１３の下端部は、ビスＢによって建物躯体１における施工中断箇所Ｐの平面（上向き平面）に固定された脚金物１１の筒状部１１１に差し込まれている。
【００６５】
そして、第二上端金物２０は、各階の上端部に床が設けられていない状態の場合やフラットルーフの施工途中の場合に雨養生を行う際に好適に用いられる。すなわち、各階の床面積に対する施工中断箇所Ｐが占める割合が大きい（広い）場合に好適である。換言すれば、養生シートＳのうち、施工中断箇所Ｐの上方に被せられる部位である被覆部位Ｓ１の範囲が広く、養生シートＳに頂点Ｔを形成して全方位的に雨水を流す必要がある場合に好適である。
したがって、施工中断箇所Ｐがどのような施工状況であり、どのような養生が必要かを現場の責任者が適宜判断し、上述した第１実施形態における第一上端金物１２を用いるか、本実施形態における第二上端金物２０を用いるか選択する。これにより、施工現場の状況に適合する養生を行うことが可能となる。
【００６６】
本実施の形態によれば、養生シートＳを施工中の建物躯体１における施工中断箇所Ｐの上方に被せた際に、養生シートＳに流れ方向が形成される施工状況であれば第一上端金物１２を選択し、養生シートＳに頂点Ｔを形成して全方位的に雨水を流す必要がある施工状況であれば第二上端金物２０を選択することができるので、施工中断箇所Ｐの施工状況に応じた最適な雨養生を行うことができる。すなわち、施工中断箇所Ｐの施工状況に応じて上端金物１２，２０を付け替えるだけで最適な雨養生を行うことができるので、結果的に、手間やコストをかけずに、雨水をスムーズに排水できることとなる。
【００６７】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
また、以下の各変形例において、上記の実施形態と共通する要素については、共通の符号を付し、説明を省略又は簡略する。
【００６８】
〔変形例１〕
本変形例における施工中断箇所Ｐは、建物躯体１を支持する基礎３０とされており、養生シートＳが、基礎３０の全体を覆うようにして設けられている。
【００６９】
図１１（ａ）に示す例においては、基礎３０によって囲まれた地面の中心に支柱用の木材１３が立設され、この木材１３の上端部に、円盤部２０１を有する第二上端金物２０が設けられている。
木材１３は、下端部が地面に埋設された状態、換言すれば杭打ちされた状態となっている。ただし、これに限られるものではなく、地面に脚金物１１が埋設され、埋設された脚金物１１における筒状部１１１に対し、木材１３の下端部が差し込まれるようにしてもよい。脚金物１１は、ベース部１１０を有するので、木材１３の立設状態が安定的なものとなる。
また、木材１３は、地面に立設された状態において、その上端部が、基礎３０におけるアンカーボルト３２ａ（図１２参照。）の上端部よりも高い位置に配置されている。これにより、養生シートＳに頂点Ｔを形成できるようになっている。その上、基礎３０が完全に硬化する前の状態であった場合には、アンカーボルト３２ａのずれや倒れ等を防ぐことができる。
さらに、第二上端金物２０は、角の無い円盤部を有しているので、養生シートＳを保護しつつ、全方位的に養生シートＳの流れ方向を形成することが可能となる。
基礎３０によって囲まれた箇所が土の場合は、このように木材１３を立設することが可能であるが、スラブ状にコンクリートが打設された後に木材１３を立設することは不可とされている。
【００７０】
図１１（ｂ）に示す例においては、基礎３０によって囲まれた地面の中央付近の二か所に支柱用の木材１３がそれぞれ立設され、これらの木材１３の上端部に、円盤部２０１を有する第二上端金物２０がそれぞれ設けられている。
木材１３の、地面に対する埋設状態や、アンカーボルト３２ａに対する高さ位置については図１１（ａ）と同様とされている。
二か所の木材１３同士の間は間隔が空けられているため、上から養生シートＳが設けられた場合に、二つの頂点Ｔを形成することができるようになっている。また、二つの頂点Ｔ同士の間は、稜線Ｒが形成されることになる。稜線Ｒは、養生シートＳ自体の重みで若干の撓みが生じる場合がある。
図１１（ｂ）に示す例によれば、図１１（ａ）に示す例と同様の効果を有し、さらに、養生シートＳの頂点Ｔの範囲を長くすることができるので、部分的に、頂点Ｔから基礎３０の外郭までの間隔を短くすることができる。そのため、頂点Ｔから基礎３０の外郭にかけての養生シートＳの角度を急勾配にすることができるので、養生シートＳとアンカーボルト３２ａとが干渉しにくくなる。
【００７１】
図１１（ｃ）に示す例においては、基礎３０によって囲まれた地面の中央付近の二か所に支柱用の木材１３がそれぞれ立設され、これらの木材１３の上端部に、第一上端金物１２がそれぞれ設けられている。
そして、二か所の第一上端金物１２同士の間に、一本のシート受け用の木材１４が架け渡されて設けられている。この場合、二か所の第一上端金物１２の向きは、双方の立ち上がり板部１２３が向き合う方向ではなく、双方の底面板部１２２及び立ち上がり板部１２３における面方向が同一直線に沿って揃う向きであることが望ましい。若しくは、二か所の第一上端金物１２同士の間に、一本の連結用の木材１５が架け渡されて設けられてもよい。
木材１３の、地面に対する埋設状態や、アンカーボルト３２ａに対する高さ位置については図１１（ａ），（ｂ）と同様とされている。
二か所の木材１３同士の間は間隔が空けられているが、これらの木材１３同士の間に木材１４（１５）が架け渡されているため、撓みの少ない稜線状の頂点Ｔを形成することができる。
図１１（ｃ）に示す例によれば、図１１（ａ），（ｂ）に示す例と同様の効果を有し、さらに、木材１４（１５）が架け渡されていることにより、頂点Ｔにおける撓みを極力抑えることができるので、養生シートＳの支持状態をより安定的なものとすることができる。その結果、雨水を流しやすくすることができる。
【００７２】
〔変形例２〕
本変形例においては、図１２に示すように、基礎３０の立ち上がり部３２を構築する際に用いられる型枠３３の上端部に、脚金物１１を設置するためのアタッチメント３４が設けられている。
【００７３】
型枠３３には一側面（外側面）用と他側面（内側面）用とがあり、フーチング３１の上面に間隔を空けて設けられ、これらの型枠３３の間にコンクリートが打設されることで、立ち上がり部３２を構築できるようになっている。
また、型枠３３間にコンクリートが打設される前に、立ち上がり部３２用の内部鉄筋にアンカーボルト３２ａが接合されており、アンカーボルト３２ａは、その上端部が、立ち上がり部３２の上面よりも上方に突出している。
【００７４】
アタッチメント３４は、双方の型枠３３の上端部間に架け渡されるようにして設けられており、上面に、脚金物１１を固定することができるようになっている。
また、アタッチメント３４は、上方に突出するアンカーボルト３２ａを避けた位置に配置されている。
【００７５】
基礎３０の外郭においては、当該基礎３０の外郭における上面の複数箇所にアタッチメント３４が設けられており、さらに、各アタッチメント３４の上面に脚金物１１が一体的に固定されるとともに木材１３が設けられ、これらの木材１３の上端部に第一上端金物１２がそれぞれ設けられている。また、隣り合う第一上端金物１２間にはシート受け用の木材１４が架け渡されて設けられている。なお、各木材１３の上端部には、第二上端金物２０が設けられてもよい。
アタッチメント３４の上面に脚金物１１が一体的に固定され、更に木材１３、第一上端金物１２又は第二上端金物２０が設けられた状態において、アンカーボルト３２ａよりも高さが高くなるように設定されている。
なお、アタッチメント３４は、基礎３０の外郭のうち少なくとも四隅に設けられることが望ましい。
【００７６】
基礎３０によって囲まれた地面の中心に近い基礎３０の内郭における上面にもアタッチメント３４が少なくとも一つ設けられており、さらに、アタッチメント３４の上面に脚金物１１が一体的に固定されるとともに木材１３が設けられ、この木材１３の上端部に、養生シートＳの頂点Ｔを形成する第二上端金物２０が設けられている。
なお、木材１３が複数とされ、これら木材１３の上端部に第一上端金物１２がそれぞれ設けられ、これら第一上端金物１２間に、シート受け用の木材１４が架け渡されて設けられてもよい。
また、基礎３０によって囲まれた地面に、上端部に第一上端金物１２や第二上端金物２０が設けられる木材１３が適宜立設されてもよい（図１１参照。）。
【００７７】
本変形例によれば、アタッチメント３４を用いて基礎３０内郭と外郭にかけて養生シートＳを架け渡すようにして被せることができるので、基礎３０の構築途中（立ち上がり部３２の硬化前）であっても養生シートＳを設けることができる。特に、基礎３０の外郭において複数のアタッチメント３４を配置し、シート受け用の木材１４を、基礎３０の外郭に沿って取り廻すことができれば、アンカーボルト３２ａと養生シートＳとが干渉しにくくなるため、基礎３０が完全に硬化する前の状態であっても、アンカーボルト３２ａのずれや倒れ等を防ぐことができる。
なお、アタッチメント３４は、図示はしないが、脱型後（型枠３３を取り外した後）の立ち上がり部３２に上端部を保持する保持部を備えていてもよい。これにより、脱型後にも養生シートＳを設けることが可能となっている。
【符号の説明】
【００７８】
Ｐ  施工中断箇所
Ｓ  養生シート
Ｓ１  被覆部位
Ｂ  ビス
Ｔ  頂点
１  建物躯体
１０  シート支持体
１０ａ  第一セット（シート支持体）
１０ｂ  第二セット（シート支持体）
１１  脚金物
１１０  ベース部
１１１  筒状部
１２  第一上端金物
１２０  筒状部
１２１  木材固定部
１２２  底面板部
１２３  立ち上がり板部
１２４  アングル調整部
１３  木材（支柱材）
１４  木材（シート受け材）
１５  木材（連結材）
１６  保護キャップ
２０  第二上端金物
２００  筒状部
２０１  円盤部
【図１】
2020090780.tif 000003
【図２】
2020090780.tif 000004
【図３】
2020090780.tif 000005
【図４】
2020090780.tif 000006
【図５】
2020090780.tif 000007
【図６】
2020090780.tif 000008
【図７】
2020090780.tif 000009
【図８】
2020090780.tif 000010
【図９】
2020090780.tif 000011
【図１０】
2020090780.tif 000012
【図１１】
2020090780.tif 000013
【図１２】
2020090780.tif 000014